(57)【要約】 【課題】  外部機器から送信された制御情報に基づく制御処理を確実に実行することができる情報処理装置、情報処理プログラムおよび情報処理プログラムを記録する記録媒体を提供する。【解決手段】  省エネモードから通常モードに切り替わったとき、または電源オンしたときに、識別情報判定部５３は、識別情報取得部５１に、現在接続されている第１メイン基板１１ａの識別情報を取得させ、取得させた識別情報と、制御情報格納部５０が記憶している、制御情報に関連付けられた識別情報とが一致するかどうかを判定する。識別情報が一致しなかったときは、検索部５４が、制御情報に関連付けられた識別情報を有するメイン基板を検索し、該当するメイン基板に対して制御情報格納部５０が記憶している制御情報を送信する。【選択図】      図３
2010086428.tif 000002
【特許請求の範囲】
【請求項１】
外部機器とのデータ通信を行う通信用回路基板と動作設定を行う設定用回路基板とを含む複数の回路基板を備え、前記通信用回路基板が着脱可能に構成され、複数の回路基板に電力を供給する第１動作モードと前記通信用回路基板のみに電力を供給する第２動作モードとを切り替えることができる情報処理装置であって、
前記設定用回路基板は、
他の通信用回路基板と識別可能とする識別情報を格納する識別情報格納手段と、
外部機器から送信される制御情報を、前記通信用回路基板を介して受信し、制御情報に基づいて動作設定を行う制御情報受信手段とを有し、
前記通信用回路基板は、
前記識別情報格納手段から識別情報を取得する識別情報取得手段と、
前記第２動作モード中に、制御情報と、制御対象の情報処理装置の識別情報とを外部機器から取得する制御情報取得手段と、
取得した制御情報と前記識別情報とを関連付けて格納する制御情報格納手段と、
第２動作モードから第１動作モードに切り替わったとき、または電源オンしたときに、識別情報取得手段に識別情報を取得させ、取得させた識別情報と、制御情報格納手段が記憶している識別情報とが一致するかどうかを判定する識別情報判定手段と、
制御情報格納手段が記憶している識別情報に基づいて、データ通信可能に接続されている他の情報処理装置に備えられる設定用回路基板の識別情報を検索する検索手段とを備え、
識別情報が一致しなかったときは、検索手段の検索結果に応じて、制御情報格納手段が記憶している識別情報と一致する識別情報を有する設定用回路基板に対して制御情報を送信することを特徴とする情報処理装置。
【請求項２】
前記制御情報は、情報処理装置に割り当てられるＩＰアドレスを含む設定更新情報であることを特徴とする請求項１記載の情報処理装置。
【請求項３】
前記制御情報は、不具合発生時に不具合の発生を報知する報知先を示す情報であることを特徴とする請求項１記載の情報処理装置。
【請求項４】
前記制御情報は、印刷時刻指定の印刷データであることを特徴とする請求項１記載の情報処理装置。
【請求項５】
前記制御情報は、夜間受信ファクシミリデータであることを特徴とする請求項１記載の情報処理装置。
【請求項６】
前記検索手段は、有線通信によってデータ通信可能に接続されている他の情報処理装置を検索することを特徴とする請求項１記載の情報処理装置。
【請求項７】
前記検索手段は、無線通信によってデータ通信可能に接続されている他の情報処理装置を検索することを特徴とする請求項１記載の情報処理装置。
【請求項８】
コンピュータを、請求項１〜７のいずれか１つに記載の情報処理装置として機能させる情報処理プログラム。
【請求項９】
コンピュータを、請求項１〜７のいずれか１つに記載の情報処理装置として機能させる情報処理プログラムを記録するコンピュータ読み取り可能な記録媒体。
【発明の詳細な説明】
【技術分野】
【０００１】
本発明は、複数の回路基板を備え、少なくとも１つの回路基板が着脱可能に構成される情報処理装置、情報処理プログラムおよび情報処理プログラムを記録する記録媒体に関する。
【背景技術】
【０００２】
パーソナルコンピュータ（以下では「ＰＣ」という）、複写機やプリンタを含む画像処理装置などの情報処理装置は、高機能化が進むにつれて消費電力も大きくなり、使用状態に応じて最小限の構成にだけ電力を供給し、大部分については電力の供給を停止するいわゆる省エネルギ（以下では「省エネ」と略称する）モードでの動作が可能となっている。
【０００３】
また、情報処理装置は、データ通信を行うためにネットワークに接続するインターフェイスを備えている。このようなインターフェイスは、複数ある回路基板のうちの小さな基板（サブ基板）に設けられていることが多くネットワークボードと呼ばれる。処理能力が高い制御用のＣＰＵ（中央演算処理装置）など多くの素子が搭載される比較的大きな基板（メイン基板）は、装置に固定されているが、サブ基板は装置から着脱可能に構成される場合がある。
【０００４】
省エネモードで動作する画像処理装置では、省エネモード中はメイン基板への電力供給は停止され、データ通信を行うサブ基板（ネットワークボード）にのみ電源供給されている構成となるものがあり、省エネモード中に画像処理装置の制御情報を受信した場合、その都度画像処理装置を省エネモードから復帰させて画像処理装置を制御する必要がある。
【０００５】
制御情報の中には即座に省エネモードからの復帰を要する制御項目（例：ＩＰアドレスの更新）と、即座に省エネモードからの復帰を要しない制御項目（例：スキャンデータ送信先登録）とがあり、省エネモード中に後者の制御情報を受信した場合、サブ基板のメモリに制御情報を一時的に保持しておき、次の省エネモードからの復帰タイミングに合わせて、保持していた制御情報で画像処理装置を制御する、という機能も既に提案されている。
【０００６】
特許文献１記載のデバイス管理システムは、ネットワークボードが別のプリンタに差し替えられている場合、シリアル番号に基づいて、差し替えられたことを判断すると、差し替え後のプリンタ機種名を管理サーバに通知する。管理サーバは、通知された機種名に対応する設定ファイルを差し替え後のプリンタへ送信する。
【０００７】
【特許文献１】特開２００６−６５４３２号公報
【発明の開示】
【発明が解決しようとする課題】
【０００８】
サブ基板のメモリ内に制御情報を保持した後、省エネモードから復帰することなく、すなわち制御情報をメイン基板に送信することなくサブ基板が外されて、別の情報処理装置に装着された場合、装着されていた情報処理装置（メイン基板）において受信した制御情報による処理が実施されないという問題がある。
【０００９】
本発明の目的は、外部機器から送信された制御情報に基づく制御処理を確実に実行することができる情報処理装置、情報処理プログラムおよび情報処理プログラムを記録する記録媒体を提供することである。
【課題を解決するための手段】
【００１０】
本発明は、外部機器とのデータ通信を行う通信用回路基板と動作設定を行う設定用回路基板とを含む複数の回路基板を備え、前記通信用回路基板が着脱可能に構成され、複数の回路基板に電力を供給する第１動作モードと前記通信用回路基板のみに電力を供給する第２動作モードとを切り替えることができる情報処理装置であって、
前記設定用回路基板は、
他の通信用回路基板と識別可能とする識別情報を格納する識別情報格納手段と、
外部機器から送信される制御情報を、前記通信用回路基板を介して受信し、制御情報に基づいて動作設定を行う制御情報受信手段とを有し、
前記通信用回路基板は、
前記識別情報格納手段から識別情報を取得する識別情報取得手段と、
前記第２動作モード中に、制御情報と、制御対象の情報処理装置の識別情報とを外部機器から取得する制御情報取得手段と、
取得した制御情報と前記識別情報とを関連付けて格納する制御情報格納手段と、
第２動作モードから第１動作モードに切り替わったとき、または電源オンしたときに、識別情報取得手段に識別情報を取得させ、取得させた識別情報と、制御情報格納手段が記憶している識別情報とが一致するかどうかを判定する識別情報判定手段と、
制御情報格納手段が記憶している識別情報に基づいて、データ通信可能に接続されている他の情報処理装置に備えられる設定用回路基板の識別情報を検索する検索手段とを備え、
識別情報が一致しなかったときは、検索手段の検索結果に応じて、制御情報格納手段が記憶している識別情報と一致する識別情報を有する設定用回路基板に対して制御情報を送信することを特徴とする情報処理装置である。
【００１１】
また本発明は、前記制御情報は、情報処理装置に割り当てられるＩＰアドレスを含む設定更新情報であることを特徴とする。
【００１２】
また本発明は、前記制御情報は、不具合発生時に不具合の発生を報知する報知先を示す情報であることを特徴とする。
【００１３】
また本発明は、前記制御情報は、印刷時刻指定の印刷データであることを特徴とする。
また本発明は、前記制御情報は、夜間受信ファクシミリデータであることを特徴とする。
【００１４】
また本発明は、前記検索手段は、有線通信によってデータ通信可能に接続されている他の情報処理装置を検索することを特徴とする。
【００１５】
また本発明は、前記検索手段は、無線通信によってデータ通信可能に接続されている他の情報処理装置を検索することを特徴とする。
【００１６】
また本発明は、コンピュータを、前記の情報処理装置として機能させる情報処理プログラムである。
【００１７】
また本発明は、コンピュータを、前記の情報処理装置として機能させる情報処理プログラムを記録するコンピュータ読み取り可能な記録媒体である。
【発明の効果】
【００１８】
本発明によれば、外部機器とのデータ通信を行う通信用回路基板と動作設定を行う設定用回路基板とを含む複数の回路基板を備えており、前記通信用回路基板が着脱可能に構成され、複数の回路基板に電力を供給する第１動作モードと前記通信用回路基板のみに電力を供給する第２動作モードとを切り替えることができる情報処理装置である。
【００１９】
前記設定用回路基板では、識別情報格納手段が、他の通信用回路基板と識別可能とする識別情報を格納している。また、制御情報受信手段は、外部機器から送信される制御情報を、前記通信用回路基板を介して受信し、制御情報に基づいて動作設定を行う。
【００２０】
前記通信用回路基板では、識別情報取得手段が前記識別情報格納手段から識別情報を取得する。制御情報取得手段は、前記第２動作モード中に、制御情報と、制御対象の情報処理装置の識別情報とを外部機器から取得し、制御情報格納手段が、取得した制御情報と前記識別情報とを関連付けて格納する。
【００２１】
第２動作モードから第１動作モードに切り替わったとき、または電源オンしたときに、識別情報判定手段は、識別情報取得手段に識別情報を取得させ、取得させた識別情報と、制御情報格納手段が記憶している識別情報とが一致するかどうかを判定する。
【００２２】
検索手段は、制御情報格納手段が記憶している識別情報に基づいて、データ通信可能に接続されている他の情報処理装置に備えられる設定用回路基板の識別情報を検索する。
【００２３】
識別情報が一致しなかったときは、検索手段の検索結果に応じて、制御情報格納手段が記憶している識別情報と一致する識別情報を有する設定用回路基板に対して制御情報を送信する。
【００２４】
これにより、第２動作モード（省エネモード）中に格納した制御情報を格納した状態で、通信用回路基板が外されて、別の情報処理装置に装着された場合であっても、制御情報が、制御対象である、制御情報格納手段が記憶している識別情報と一致する識別情報を有する設定用回路基板に送信されるので、制御情報に基づく制御処理が確実に実行される。
【００２５】
また本発明によれば、前記制御情報としては、情報処理装置に割り当てられるＩＰアドレスを含む設定更新情報、不具合発生時に不具合の発生を報知する報知先を示す情報（たとえば電子メールアドレス）、印刷時刻指定の印刷データ、夜間受信ファクシミリデータなどであり、これらの情報に基づく設定の更新処理や印刷処理などを確実に実行することができる。
【００２６】
また本発明によれば、前記検索手段は、有線通信か、または無線通信によってデータ通信可能に接続されている他の情報処理装置を検索することができる。
【００２７】
また本発明によれば、コンピュータを、上記の情報処理装置として機能させる情報処理プログラムおよび情報処理プログラムを記録するコンピュータ読み取り可能な記録媒体として提供することができる。
【発明を実施するための最良の形態】
【００２８】
図１は、本発明の実施の一形態である第１画像処理装置１０を含む通信システム１００の構成を示す図である。
【００２９】
通信システム１００は、第１画像処理装置１０と、第２画像処理装置２０と外部機器であるＰＣ３０、サーバ４０とが通信ネットワークＮ１を介して互いにデータ通信可能に接続されている。以下、第１画像処理装置１０の構成について説明するが、第２画像処理装置２０は、第１画像処理装置１０と同じ構成のため、説明は省略する。
【００３０】
本実施形態の第１画像処理装置（複合機）１０は、図１に示すように、画像処理等を実行するプリンタコントローラとなる第１メイン基板１１ａに対して、各種機能を追加できるようにオプション設定される第１サブ基板１１ｂが設けられている。
【００３１】
なお、本実施の形態では、第１サブ基板１１ｂは、通信用回路機能を追加するための基板であり、ＬＡＮ（Local Area Network）等の有線データ通信ネットワークＮ１、もしくは８０２．１１ａ/ｂ/ｇ等の無線通信ネットワークＮ２を介して、外部機器となるＰＣ３０、サーバ４０との有線もしくは、無線データ通信用インターフェイスを担うＬＡＮインターフェイス基板である。
【００３２】
制御用回路基板である第１メイン基板１１ａには、各種画像処理を実行するメイン基板側ＣＰＵ１２ａ（以下、メインＣＰＵ１２ａと略称する。）と、当該画像処理のプログラムが格納された不揮発性の読み出し専用の記憶部となるフラッシュメモリ等のメイン基板側Ｆｌａｓｈメモリ１３ａ（以下、メインＦｌａｓｈ１３ａと略称する。）と、メインＣＰＵ１２ａが読み書き可能な記憶部となるＲＡＭ（Random Access Memory）等のメイン基板側メモリ１４ａ（以下、メインメモリ１４ａと略称する。）と、メインＣＰＵ１２ａから読み書き可能なレジスタを含むロジック回路等からなるメイン基板側ＡＳＩＣ（
Application Specific Integrated Circuit）１５ａ（以下、メインＡＳＩＣ１５ａと略称する。）が備えられる。
【００３３】
一方、第１サブ基板１１ｂには、各種動作処理をするサブ基板側ＣＰＵ１２ｂ（以下、サブＣＰＵ１２ｂと略称する。）と、当該動作処理のプログラムが格納された読み出し専用の記憶部となるフラッシュメモリ等のサブ基板側Ｆｌａｓｈメモリ１３ｂ（以下、サブＦｌａｓｈ１３ｂと略称する。）と、ＣＰＵ１２ｂが読み書きできる記憶部となるＲＡＭ等のサブ基板側メモリ１４ｂ（以下、サブメモリ１４ｂと略称する。）と、ＣＰＵ１２ｂが読み書きすることによって外部の端子に入出力できるインターフェイス回路からなるサブ基板側ＡＳＩＣ１５ｂ（以下、サブＡＳＩＣ１５ｂと略称する。）と、外部機器と無線通信を行うための無線インターフェイス１６ｂが備えられる。また、サブＡＳＩＣ１５ｂは、シリアルデータ通信するための伝送路Ｌ１ａを介して、メインＡＳＩＣ１５ａと接続されている。
【００３４】
ここで、画像処理装置Ａ１０は、少なくとも通常モードと省エネモードとの２つの動作モードで動作かつ切り換え可能に構成される。
【００３５】
動作モードの切り替えは、たとえば、ユーザが切り替え指示を入力したときに切り換えることもできるし、通常モード中に未処理時間が所定の時間を経過すると省エネモードに切り換えることもできる。
【００３６】
通常モードとは、省エネモード以外での動作モードであり、第１メイン基板１１ａおよび第１サブ基板１１ｂのいずれにも電力が供給され、画像処理、制御、各種データ通信などを行う第１動作モードである。
【００３７】
省エネモードとは、通常モードよりも消費電力を低減させた動作モードであり、第１メイン基板１１ａへの電力供給を停止させ、有線データ通信ネットワークＮ１または無線データ通信ネットワークＮ２とのインターフェイスとしての機能を有する第１サブ基板１１ｂにのみ電源を供給することによって、必要最小限の部分を駆動させるように動作する第２動作モードである。
【００３８】
有線データ通信ネットワークＮ１、または無線通信ネットワークＮ２を介して第１画像処理装置１０と接続される外部機器であるＰＣ３０およびサーバ４０は、それぞれ各種動作処理をするＣＰＵ３１，４１と、その処理のプログラムが格納された読み出し専用の記憶部となるフラッシュメモリ等のＦｌａｓｈメモリ３２，４２と、ＣＰＵ３１，４１が読み書きできる記憶部となるＲＡＭ等のメモリ３３，４３を備える。
【００３９】
図２は、サブ基板が変更されたときの第１画像処理装置１０および第２画像処理装置２０を示す図である。第１画像処理装置１０と第２画像処理装置２０は同じ構成のため、サブ基板の相互付け替えが可能な構成である。図２に示した例では、第１画像処理装置１０から第１サブ基板１１ｂが取り外されて、第２画像処理装置２０のサブ基板として取り付けられている。なお、第１サブ基板１１ｂが取り外された第１画像処理装置１０には、データ通信が可能となるように、新たなサブ基板として第３サブ基板１１ｃが取り付けられる。
【００４０】
本例では、第１サブ基板１１ｂのサブメモリ１４ｂに、第１画像処理装置１０が省エネモードでの動作時に受信した制御情報を保持した状態で、第１サブ基板１１ｂが、第２画像処理装置２０のサブ基板として取り付けられている。
【００４１】
図３は、第１画像処理装置１０の機能ブロック図であり、図４は、外部機器であるＰＣ３０の機能ブロック図である。なお、第１画像処理装置１０の機能ブロック図は、第２画像処理装置２０と同様のため、ここでは第１画像処理装置１０を例として説明する。また、機能ブロック図は、ＰＣ３０、サーバ４０のいずれも同様であるので、ここでは、ＰＣ３０を例として説明する。
【００４２】
第１サブ基板１１ｂは、制御情報格納部５０、制御情報取得部５１、識別情報取得部５２、識別情報判定部５３、検索部５４、検索条件取得部５５を備える。一方、第１メイン基板１１ａは、識別情報格納部６０、制御情報受信部６１、検索条件格納部６２を備える。また、外部機器であるＰＣ３０は、少なくとも制御情報送信部７０を備える。
【００４３】
制御情報格納部５０は、制御情報取得部５１が外部機器（たとえばＰＣ３０）から取得した制御情報と、制御対象となる画像処理装置の識別情報とを格納する。なお、制御情報を格納する際は、どの画像処理装置に対する制御情報であるかがわかるように制御対象となる画像処理装置の識別情報を制御情報に関連付けて格納しておく。
【００４４】
制御情報は、外部機器からの制御が可能な第１画像処理装置１０に関する具体的な情報である。たとえば、第１画像処理装置１０において、紙詰まりや用紙切れなどの不具合が発生したときに、その不具合が発生したことを電子メールなどで報知する報知先の電子メールアドレス、第１画像処理装置１０に割り当てられるＩＰアドレスの更新時に受信する新たなＩＰアドレスなどである。さらには、第１画像処理装置１０に対する印刷時刻が指定された印刷データや、夜間の省エネモード時に受信したファクシミリデータなども含まれる。
【００４５】
識別情報取得部５２は、第１サブ基板１１ｂが第１画像処理装置１０に接続されていたときに第１メイン基板１１ａの識別情報格納部６０から、第１メイン基板１１ａを識別するための情報を取得して記憶する。識別情報取得部５２は、また、省エネモードから通常モードに復帰したときに接続されているメイン基板１１ａから識別情報を取得する。
【００４６】
識別情報判定部５３は、省エネモード中に制御情報とともに格納されていた識別情報と、省エネモードからの復帰後に新たに取得したメイン基板の識別情報とを比較し、一致すれば省エネモードに移行する前に接続されていたメイン基板と、省エネモードからの復帰後に接続されているメイン基板とが同じ基板であると判定する。一致しなければ、省エネモードに移行する前に接続されていたメイン基板と、省エネモードからの復帰後に接続されているメイン基板とが異なる基板であると判定する。
【００４７】
制御情報取得部５１は、識別情報判定部５３の判定後に、制御情報格納部５０に格納された制御情報を、メイン基板１１ａの制御情報受信部６１に送信する。もしくは、別の画像処理装置から受信した制御情報を、メイン基板１１ａの制御情報受信部６１に送信する。
【００４８】
制御情報受信部６１は、制御情報通知部５１から送信される制御情報に基づいて装置の制御を行う。検索部５４は、識別情報判定部５３の判定後に、制御情報格納部５０に格納された制御情報に関連付けられた識別情報と一致するメイン基板１１ａを有線データ通信ネットワークＮ１または無線通信ネットワークＮ２を介して検索を行う。検索条件取得部５５は、メイン基板１１ａの検索条件格納部６２から、保持する識別情報に一致するメイン基板を検索するための検索条件を取得する。
【００４９】
図５は、省エネモードからの復帰時、もしくは電源投入時の第１画像処理装置１０の第１サブ基板１１ｂによる制御処理を示すフローチャートである。
【００５０】
まず、ステップＳ１では省エネモードから通常モードへの復帰か否か、または電源投入時か否かが判断される。このステップＳ１で省エネモードからの復帰、または電源投入時か、が検出されると、ステップＳ２で識別情報取得部５２が、現在接続されているメイン基板１１ａの識別情報格納部６０から識別情報を取得する。省エネモードからの復帰、または電源投入が検出されない場合は、ステップＳ１に戻って待機する。
【００５１】
ステップＳ３では、サブ基板１１ｂの制御情報格納部５０から、予め記憶されていた識別情報を取得する。ステップＳ４では、ステップＳ２で、現在接続されているメイン基板１１ａの識別情報格納部６０から取得した識別情報と、サブ基板１１ｂが保持している識別情報とが同一か否かを判断する。これら２つの識別情報が一致する場合は、ステップＳ５で、制御情報格納部５０に予め格納されている制御情報をメイン基板１１ａの制御情報受信部６１に送信する。
【００５２】
一方、識別情報が一致しない場合は、サブ基板１１ｂが制御情報を受信したときに接続されていたメイン基板と、現在接続されているメイン基板とが異なる基板であるので、記憶されている制御情報を、受信時に接続されていたメイン基板に対して制御情報を当該メイン基板に送信する必要がある。
【００５３】
ステップＳ６では、メイン基板１１ａの検索条件格納部６２から検索条件を取得する。
ステップＳ７では、取得した検索条件に基づき、有線データ通信ネットワークＮ１または、無線データ通信ネットワークＮ２を介して、これらのネットワークＮ１，Ｎ２に接続されている画像処理装置のメイン基板から、識別情報と一致するメイン基板１１ａを検索する。
【００５４】
識別情報が一致するメイン基板１１ａが検索されたら、ステップＳ９で制御情報格納部５０に予め格納されている制御情報を、検索されたメイン基板１１ａの制御情報受信部６１に送信する。一方、所定時間内に検索されなかった場合は、ステップＳ８で指定時間の経過を待って、再度ステップＳ７に進み検索を実行する。
【００５５】
図６は、省エネモードからの復帰時の画像処理装置１０のメイン基板１１ａによる制御処理を示すフローチャートである。
【００５６】
ステップＳ１１では、サブ基板１１ｂの識別情報取得部５２からの要求に応じて、識別情報格納部６０が自らの識別情報をサブ基板１１ｂに送信する。ステップＳ１２では、サブ基板１１ｂの制御情報取得部５１から制御情報を受信する。ステップＳ１３では、受信した制御情報に基づいて装置の制御を行う。
【００５７】
図５のステップＳ６，７における検索機能については、検索に関する種々の設定を選択することが可能に構成される。図７は、検索機能の選択画面８０を示す図である。
【００５８】
画像処理装置１０に備わる表示部（不図示）に、検索方法選択画面８０を表示させ、画像処理装置１０の管理者が検索方法を選択する。図６に示す検索方法選択画面８０の表示形態に限らず、画像処理装置１０が有するウェブページからも同様の設定項目を表示させる形態としても構わない。
【００５９】
検索方法選択画面８０には、下記再検索を実行する時間間隔を入力するテキストボックス８１と、検索方法を選択するためのチェックボタン８２〜８４とが表示され、選択項目を確定するためのＯＫボタン８５、選択項目をキャンセルするためのキャンセルボタン８６が記載される。これらのボタンは、タッチパネルなどで実現されるソフトウェアキーである。
【００６０】
再検索時間指定テキストボックス８１に時間として数値を入力すると、入力された時間の経過を待って、再検索を実行する。自動検索ボタン８２を選択すると、通信状況や検索結果に応じて、有線データ通信ネットワークＮ１または無線データ通信ネットワークＮ２を自動的に選択して、検索を実行する。
【００６１】
有線ネットワーク検索ボタン８３を選択すると、有線データ通信ネットワークＮ１を介してそこに繋がる画像処理装置の検索を実行する。無線ネットワーク検索ボタン８３を選択すると、無線データ通信ネットワークＮ２を介してそこに繋がる画像処理装置の検索を実行する。
【００６２】
ネットワークの稼動状況は、ｐｉｎｇコマンドを利用して、外部機器との通信状態を確認する。応答の有無および応答時間などから外部機器の稼動状況を推測することができる。
【００６３】
本発明の他の実施形態として、コンピュータを画像処理装置１０として動作させるための情報処理プログラムのプログラムコードおよびこの情報処理プログラムのプログラムコードを記録したコンピュータ読み取り可能な記録媒体を提供することも可能である。なお、記録媒体としては、マイクロプロセッサで処理が行われるためのメモリ、たとえばＲＯＭそのものが記録媒体であってもよいし、また、コンピュータの外部記憶部としてプログラム読み取り装置が設けられ、そこに挿入することで読み取り可能な記録媒体であってもよい。
【００６４】
いずれの場合においても、記録されている情報処理プログラムのプログラムコードは、マイクロプロセッサが記録媒体にアクセスすることで実行されてもよいし、マイクロプロセッサが記録媒体から上記プログラムコードを読み出し、読み出されたプログラムコードをプログラム記憶エリアにダウンロードして、実行してもよい。なお、このダウンロード用のプログラムは予め所定の記憶装置に格納されているものとする。ＣＰＵなどのマイクロプロセッサは、インストールされた情報処理用プログラムに従って所定の更新処理を行うようにコンピュータの各部を統括的に制御する。
【００６５】
また、プログラム読み取り装置で読み取り可能な記録媒体としては、磁気テープ、カセットテープなどのテープ系、フレキシブルディスク、ハードディスクなどの磁気ディスクまたはＣＤ−ＲＯＭ（Compact Disc-Read Only Memory）／ＭＯ（Magneto Optical disc
）／ＭＤ（Mini Disc）／ＤＶＤ（Digital Versatile Disc）などの光ディスクのディスク系、ＩＣ（Integrated Circuit）カード（メモリカードを含む）／光カードなどのカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭなどの半導体メモリを含めた固定的にプログラムを記録する媒体であってもよい。
【００６６】
また、コンピュータを、インターネットを含む通信ネットワークに接続可能な構成とし、通信ネットワークから情報処理プログラムのプログラムコードをダウンロードするように流動的にプログラムを担持する媒体であってもよい。なお、このように通信ネットワークから情報処理プログラムをダウンロードする場合には、そのダウンロード用プログラムは予めコンピュータに格納しておくか、他の記録媒体からインストールされるものであってもよい。なお、本発明は、上記プログラムコードが電子的な伝送で具現化された、搬送波に埋め込まれたコンピュータデータ信号の形態でも実現される。
【００６７】
記録媒体から読み取った画像処理プログラムのプログラムコードを実行するコンピュータシステムの一例は、フラットベッドスキャナ、フィルムスキャナ、デジタルカメラなどの画像読取装置と、各種プログラムを実行することにより上記の画像処理方法を含めた様々な処理を行うコンピュータと、このコンピュータの処理結果などを表示するＣＲＴ（
Cathode Ray Tube）ディスプレイ、液晶ディスプレイなどの画像表示装置と、コンピュータの処理結果を紙などに出力するプリンタなどの画像出力装置とが互いに接続されて構成されるシステムである。さらに、このコンピュータシステムには、通信ネットワークを介してサーバなどに接続し、情報処理プログラムを含む各種プログラムや画像データなどの各種データを送受信するためのモデムなどが備えられる。
【図面の簡単な説明】
【００６８】
【図１】本発明の実施の一形態である第１画像処理装置１０を含む通信システム１００の構成を示す図である。
【図２】サブ基板が変更されたときの第１画像処理装置１０および第２画像処理装置２０を示す図である。
【図３】第１画像処理装置１０の機能ブロック図である。
【図４】外部機器であるＰＣ３０の機能ブロック図である。
【図５】省エネモードからの復帰時、もしくは電源投入時の第１画像処理装置１０の第１サブ基板１１ｂによる制御処理を示すフローチャートである。
【図６】省エネモードからの復帰時の画像処理装置１０のメイン基板１１ａによる制御処理を示すフローチャートである。
【図７】検索機能の選択画面８０を示す図である。
【符号の説明】
【００６９】
１０  第１画像処理装置
１１  第１サブ基板
２０  第２画像処理装置Ｂ
２１ａ  第２メイン基板
２２ｂ  第２サブ基板
３０  ＰＣ
４０  サーバ
５０  制御情報格納部
５１  制御情報取得部
５２  識別情報取得部
５３  識別情報判定部
５４  検索部
５５  検索条件取得部
６０  識別情報格納部
６１  制御情報受信部
６２  検索条件格納部
７０  制御情報送信部
【図１】
2010086428.tif 000003
【図２】
2010086428.tif 000004
【図３】
2010086428.tif 000005
【図４】
2010086428.tif 000006
【図５】
2010086428.tif 000007
【図６】
2010086428.tif 000008
【図７】
2010086428.tif 000009